(57)【要約】モバイル通信プラン提供システム及び方法は、モバイル通信装置（ＭＣＤ）のために、最適な一又は複数のモバイル通信プランの提供を決定する。受信契約者は、携帯電話機の契約者、又は、契約者ともいう。モバイル通信プラン提供は、一般的には、プランへの一又は複数の変更（パックともいう）又は基本プランとパックを含んだ完全なプランからなる。モバイル通信プラン提供は、受信契約者の移動利用パターンに基づく。少なくとも一実施形態では、モバイル通信プラン提供システム及び方法は、受信契約者のＭＣＤ利用行動を分析し、受信契約者の利用行動と現在の支出を処理し、そして、受信契約者の現在のプランと比較して、適用されれば、受信契約者に正の経済的利益になるモバイル通信プラン提供を決定する。【選択図】なし
2013519164.tif 000002
【特許請求の範囲】
【請求項１】
モバイル通信プラン提供を提供するための方法であって、
データ処理システムを用いて実行し、
受信契約者と関連するモバイル通信装置のモバイル通信装置利用データを分析し、
受信契約者と関連するモバイル通信装置の前記利用データに基づいて、モバイル通信装置の受信契約者に正の経済的利益を提供する一又は複数のモバイル通信プラン提供を特定し、
特定した一又は複数のモバイル通信プラン提供を電子システムに通信することを含む方法。
【請求項２】
前記電子システムは、受信契約者と関連するモバイル通信装置である請求項１記載の方法。
【請求項３】
エンティティは、モバイル通信プランプロバイダのデータ処理システムである請求項１記載の方法。
【請求項４】
一又は複数の通信プラン提供を展開することを含む請求項１記載の方法。
【請求項５】
前記通信は、前記特定した一又は複数のモバイル通信プラン提供を前記エンティティに事前に通信することを含む請求項１記載の方法。
【請求項６】
前記通信は、誘引イベントに基づいて、前記特定した一又は複数のモバイル通信プラン提供を前記エンティティに反応的に通信することを含む請求項１記載の方法。
【請求項７】
前記誘引イベントは、利用のタイプと、関連利用量と、アカウントバランスレベルとから構成されるグループの要素である請求項６記載の方法。
【請求項８】
前記一又は複数のモバイル通信プラン提供の一つの採用を特定する受信契約者から応答を受け取ることを含む請求項１記載の方法。
【請求項９】
前記分析は、事前に予定されたベースで、モバイル通信装置利用データを分析することを含む請求項１記載の方法。
【請求項１０】
前記分析は、モバイル通信プラン提供のための要求に基づいて、モバイル通信装置利用データを分析すること含む請求項１記載の方法。
【請求項１１】
データ処理システムを用いて実行し、
モバイル通信装置と関連する受信契約者に一又は複数のモバイル通信プラン提供の要求を送信し、
一又は複数のモバイル通信プラン提供を受信することを含み、
前記モバイル通信プラン提供は、受信契約者と関連するモバイル通信装置のモバイル通信装置利用データを分析し、
受信契約者と関連するモバイル通信装置の前記利用データに基づいて、モバイル通信装置の受信契約者に正の経済的利益を提供する一又は複数のモバイル通信プラン提供を特定することによって決定されることを特徴とする方法。
【請求項１２】
モバイル通信プラン提供を提供するためのシステムであって、
プロセッサと該プロセッサに接続されるメモリとを含み、前記メモリは、保存されたコードを含み、
前記メモリは、受信契約者と関連するモバイル通信装置のモバイル通信装置利用データを分析し、
受信契約者と関連するモバイル通信装置の前記利用データに基づいて、モバイル通信装置の受信契約者に正の経済的利益を提供する一又は複数のモバイル通信プラン提供を特定し、
特定した一又は複数のモバイル通信プラン提供を電子システムに通信するために、プロセッサによって実行可能であることを特徴とするシステム。
【請求項１３】
前記電子システムは、受信契約者と関連するモバイル通信装置である請求項１２記載のシステム。
【請求項１４】
エンティティは、モバイル通信プランプロバイダのデータ処理システムである請求項１２記載のシステム。
【請求項１５】
前記コードは、一又は複数のモバイル通信プラン提供を展開するためにプロセッサによって実行可能である請求項１２記載のシステム。
【請求項１６】
通信のための前記コードは、前記特定した一又は複数のモバイル通信プラン提供を前記エンティティに事前に通信するために、プロセッサによって実行可能である請求項１２記載のシステム。
【請求項１７】
通信のための前記コードは、誘引イベントに基づいて、前記特定した一又は複数のモバイル通信プラン提供を前記エンティティに反応的に通信するために、プロセッサによって実行可能である請求項１２記載のシステム。
【請求項１８】
前記誘引イベントは、利用のタイプと、関連利用量と、アカウントバランスレベルとから構成されるグループの要素である請求項１７記載のシステム。
【請求項１９】
前記コードは、前記一又は複数のモバイル通信プラン提供の一つの採用を特定する受信契約者から応答を受け取るために、プロセッサによって実行可能である請求項１２記載のシステム。
【請求項２０】
分析のための前記コードは、事前に予定されたベースで、モバイル通信装置利用データを分析するために、プロセッサによって実行可能である請求項１２記載のシステム。
【請求項２１】
分析のための前記コードは、モバイル通信プラン提供のための要求に基づいて、モバイル通信装置利用データを分析するために、プロセッサによって実行可能である請求項１２記載のシステム。
【請求項２２】
受信契約者と関連するモバイル通信装置のモバイル通信装置利用データを分析し、
受信契約者と関連するモバイル通信装置の前記利用データに基づいて、モバイル通信装置の受信契約者に正の経済的利益を提供する一又は複数のモバイル通信プラン提供を特定し、
特定した一又は複数のモバイル通信プラン提供を電子システムに通信するために、
保存されたコードを含み、かつ、プロセッサによって実行可能である、持続性のコンピュータ読み取り可能な媒体。
【請求項２３】
電子コンピュータ読み取り可能な媒体は、受信契約者に関連するモバイル通信装置である請求項２２記載のコンピュータ読み取り可能な媒体。
【請求項２４】
エンティティは、モバイル通信プランプロバイダのデータ処理コンピュータ読み取り可能な媒体である請求項２２記載のコンピュータ読み取り可能な媒体。
【請求項２５】
前記コードは、一又は複数のモバイル通信プラン提供を展開するために、プロセッサによって実行可能である請求項２２記載のコンピュータ読み取り可能な媒体。
【請求項２６】
通信のための前記コードは、前記特定した一又は複数のモバイル通信プラン提供を前記エンティティに事前に通信するために、プロセッサによって実行可能である請求項２２記載のコンピュータ読み取り可能な媒体。
【請求項２７】
通信のための前記コードは、誘引イベントに基づいて、前記特定した一又は複数のモバイル通信プラン提供を前記エンティティに反応的に通信するために、プロセッサによって実行可能である請求項２２記載のコンピュータ読み取り可能な媒体。
【請求項２８】
前記誘引イベントは、利用のタイプと、関連利用量と、アカウントバランスレベルとから構成されるグループの要素である請求項２７記載のコンピュータ読み取り可能な媒体。
【請求項２９】
前記コードは、前記一又は複数のモバイル通信プラン提供の一つの採用を特定する受信契約者から応答を受け取るために、プロセッサによって実行可能である請求項２２記載のコンピュータ読み取り可能な媒体。
【請求項３０】
分析のための前記コードは、事前に予定されたベースで、モバイル通信装置利用データを分析するために、プロセッサによって実行可能である請求項２２記載のコンピュータ読み取り可能な媒体。
【請求項３１】
分析のための前記コードは、モバイル通信プラン提供のための要求に基づいて、モバイル通信装置利用データを分析するために、プロセッサによって実行可能である請求項２２記載のコンピュータ読み取り可能な媒体。
【発明の詳細な説明】
【関連出願の相互参照】
【０００１】
本願は、「モバイル通信プラン提供」という名称で２０１０年２月３日に提出された米国仮出願６１３０１１０７号の３５Ｕ．Ｓ．Ｃ．§１１９（ｅ）と、３７Ｃ．Ｆ．Ｒ．§１.７８との利益を主張する。また、上記米国仮出願は、引用によって本願に組み込まれる。
【技術分野】
【０００２】
本発明は、モバイル通信分野一般に関するもので、具体的には、モバイル通信プランを提供するシステムと方法とに関する。
【背景技術】
【０００３】
携帯電話などのモバイル通信装置（ＭＣＤｓ）の利用が広く普及している。モバイル通信装置は、移動性の装置であり、あらゆる携帯電話（セル方式の携帯無線電話ともいう）などの通信信号を送受信できる。例えば、モバイル通信装置は、携帯電話機能を提供する装置である。
【０００４】
ＭＣＤユーザは、以下では「受信契約者」又は「ユーザ」又は「ＭＣＤユーザ」といい、異なるタイプのモバイル通信プランを購入し、受信契約者は、例えば電話、及び、メッセージ（ショートメッセージサービス（ＳＭＳ）やマルチメディアメッセージサービス（ＭＭＳ）など）の送受信、及び、他のデータの送受信が可能になる。モバイル通信プランは、受信契約者に、例えば通話の最大時間数、及び／又は、データの最大容量を提供し、特定の使用期間（通常、有効性という）を備える。モバイル通信プランの価格設定は、毎分、及び／又は、データの毎メガバイトなどに基づく定額料金又は利用などの種々の形態をとりえる。
【０００５】
受信契約者は、モバイル通信プランを選択する種々の方法を有する。例えば、受信契約者は、特定のモバイル通信プランについて販売員と話をしたり、ウェブサイトを通じて、モバイル通信プランを選択したりできる。また、モバイル通信サービスプロバイダは、多くの受信契約者に対し、ＳＭＳメッセージを介してモバイル通信プランの提供を送信する。受信契約者は、必要に応じて、モバイル通信プランの提供に返答する。しかし、モバイル通信プラン提供は、大勢のユーザ向けに生成されているので、各受信契約者は、その提供を評価できない可能性がある。また、包括的なプラン提供は、受信契約者を、あるモバイル通信プロバイダから他のプロバイダに移らせる傾向にある。
【発明の概要】
【０００６】
本発明の一実施形態では、モバイル通信プラン提供を提供するための方法は、データ処理システムを用いて実行し、受信契約者と関連するモバイル通信装置のモバイル通信装置利用データを分析し、受信契約者と関連するモバイル通信装置の前記利用データに基づいて、モバイル通信装置の受信契約者に正の経済的利益を提供する一又は複数のモバイル通信プラン提供を特定し、特定した一又は複数のモバイル通信プラン提供を電子システムに通信することを含む。
【０００７】
本発明の他の実施形態では、方法は、データ処理システムを用いて実行し、モバイル通信装置と関連する受信契約者に一又は複数のモバイル通信プラン提供の要求を送信し、一又は複数のモバイル通信プラン提供を受信することを含み、前記モバイル通信プラン提供は、受信契約者と関連するモバイル通信装置のモバイル通信装置利用データを分析し、受信契約者と関連するモバイル通信装置の前記利用データに基づいて、モバイル通信装置の受信契約者に正の経済的利益を提供する一又は複数のモバイル通信プラン提供を特定することによって決定される。
【０００８】
本発明の他の実施形態では、モバイル通信プラン提供を提供するためのシステムは、プロセッサと該プロセッサに接続されるメモリとを含む。メモリは、保存されたコードを含む。このメモリは、受信契約者と関連するモバイル通信装置のモバイル通信装置利用データを分析し、受信契約者と関連するモバイル通信装置の前記利用データに基づいて、モバイル通信装置の受信契約者に正の経済的利益を提供する一又は複数のモバイル通信プラン提供を特定し、特定した一又は複数のモバイル通信プラン提供を電子システムに通信するために、プロセッサによって実行可能である。
【０００９】
本発明の他の実施形態は、持続性のコンピュータ読み取り可能な媒体であって、受信契約者と関連するモバイル通信装置のモバイル通信装置利用データを分析し、受信契約者と関連するモバイル通信装置の前記利用データに基づいて、モバイル通信装置の受信契約者に正の経済的利益を提供する一又は複数のモバイル通信プラン提供を特定し、特定した一又は複数のモバイル通信プラン提供を電子システムに通信するために、保存されたコードを含み、かつ、プロセッサによって実行可能な媒体である。
【図面の簡単な説明】
【００１０】
本発明は、添付の図面を参照することで、当業者にとって、より理解され、発明の多くの対象物、特徴、利点が明らかになる。図面中の同一の参照番号の使用は、同等又は類似の要素を指す。
【図１】一のモバイル通信プラン提供利用分析システムを示す図である。
【図２】一のモバイル通信プラン提供利用分析方法を示す図である。
【図３】利用データから作成された利用タイプ、タイムフレーム、誘引イベントの表である。
【図４】一のモバイル通信プラン提供を示す図である。
【図５】一の受信契約者の誘引と通信イベントとを示す図である。
【図６】一のモバイル通信プランシステムを示す図である。
【図７】一のプラン提供生成のグラフィカルユーザインターフェイスを示す図である。
【図８】一のコンピュータシステムを示す図である。
【発明を実施するための形態】
【００１１】
少なくとも一実施形態では、本明細書中に記載のモバイル通信プラン提供システム及び方法は、モバイル通信装置（ＭＣＤ）のために、一又は複数の最適なモバイル通信プラン提供を決定する。受信契約者は、携帯電話機の契約者、又は、契約者ともいう。モバイル通信プラン提供は、一般的には、プランへの一又は複数の変更（パックともいう）又は基本プランとパックを含んだ完全なプランからなる。モバイル通信プラン提供は、受信契約者の移動利用パターンに基づく。少なくとも一実施形態では、受信契約者のために、一又は複数のモバイル通信プラン提供を決定するために用いられる利用データのみが、受信契約者の利用データである。従って、受信契約者に通信される各モバイル通信プラン提供は、受信契約者に調整されて、受信契約者にとって最適なものを提供する。
【００１２】
少なくとも一実施形態では、モバイル通信プラン提供システム及び方法は、受信契約者のＭＣＤ利用行動を分析し、受信契約者の利用行動と現在の支出を処理し、そして、受信契約者の現在のプランと比較して、適用されれば、受信契約者に正の経済的利益になるモバイル通信プラン提供を決定する。少なくとも一実施形態では、モバイル通信プラン提供システム及び方法は、ＳＭＳメッセージの数や受信契約者の長距離通話（ＳＴＤ）が、所定のタイムフレーム内の所定の閾値を越えたとき、及び／又は、現在の利用限界を越えそうになったときなど特定のイベントに従って適宜、モバイル通信プラン提供を受信契約者のＭＣＤに通信する。少なくとも一実施形態では、特定のモバイル通信プラン提供を通信することに加えて、モバイル通信プラン提供システム及び方法は、モバイル通信プラン提供の選択によって、受信契約者にもたらされる特定の経済的利益を通信する。
【００１３】
モバイル通信プラン提供システム及び方法は、モバイル通信会社などのモバイル通信プランプロバイダによって実行及び機能され、或いは、モバイル通信プランプロバイダにサービスとして提供される。
【００１４】
少なくとも一実施形態では、モバイル通信プラン提供方法及びシステムは、受信契約者のモバイル利用の客観的経済分析によって、適時に適切な提供をすることを目的とする。
【００１５】
少なくとも一実施形態では、モバイル通信プラン提供方法及びシステムは、以下の特徴を有するサービスのマーケティングを含む一般手法に拡張される。
−  サービスの変数及び動的な消費
−  分化した価格設定で複数に分けられた提供（複数のサービス価格設定プランのオプション）
【００１６】
少なくとも一実施形態では、モバイル通信プラン提供方法及びシステムは、特定の受信契約者のために調整され、従って、正の経済的利益を受信契約者に提供することによって有益であるＭＣＤモバイル通信プランパックを採用するように受信契約者に促す。少なくとも一実施形態では、受信契約者との高い関連性を有して、大きくセグメント化された（分けられた）モバイル通信プラン提供に対して、受信契約者による採用率は向上する。従って、モバイル通信プロバイダは、少なくとも一実施形態では、収入が向上し、及び／又は、より多くの受信契約者を保持できる。
【００１７】
少なくとも一実施形態では、モバイル通信プラン提供方法及びシステムは、例えば、受信契約者の利益を最大化する提供の複数選択による、各受信契約者の正の経済的利益に基づいて、最良の提供を決定して通信する。受信契約者の観点では、これは、ユーザが、ＭＣＤ利用パターンのために費やされる携帯料金を倹約する補助となる。モバイル通信プランプロバイダの観点では、受信契約者との高い関連性のために、モバイル通信プランプロバイダは、パックの採用を増加させ、固定契約収入を増加させることができる。
【００１８】
少なくとも一実施形態では、モバイル通信プラン提供方法及びシステムは、セグメンテーション（区分）を単独の受信契約者に割り当てる。各受信契約者の利用を分析し、利用可能な製品ラインにマッピングすることによって、各受信契約者に固有の提供を作成し、受信契約者に正確な利益を通信する。受信契約者（以下、ユーザともいう）は、モバイル通信プランを契約するものである。少なくとも一実施形態では、ユーザが受け入れようと思っているときに、提供を適宜通信することによって、モバイル通信プラン提供方法及びシステムは、ユーザがモバイル通信装置にあまり関与していないときになされる通信と比較して、採用の可能性を向上させる。少なくとも一実施形態では、持続的な評価を通して、モバイル通信プラン提供方法及びシステムは、ユーザの直近の利用行動への直接的な関連性を提供することができる。
【００１９】
少なくとも一実施形態では、モバイル通信プラン提供システム及び方法は、モバイル通信プラン提供の高い採用を促す、信用に基づく受信契約者との契約を提供する。これは、モバイル通信プランプロバイダとその受信契約者との間で、即ち、（提供を採用することによって）経済的でかつＭＣＤ上の減少したスパムによって、改善された採用を介したモバイル通信プランプロバイダの利益と受信契約者の利益との間で互いに有利な結果をもたらす。
【００２０】
図１は、一のモバイル通信プラン提供利用分析システム１００を示す。図２は、一のモバイル通信プラン提供利用分析方法２００を示す。モバイル通信プランプロバイダは、５ドルで１０００の携帯メールなど特定の利益を提供する新規のプランと新規の追加パック（以下、プランという）のような新規のモバイル通信プラン提供を展開する。図１，２を参照すると、少なくとも一実施形態では、モバイル通信プラン提供利用分析システム１００は、モバイル通信プラン提供利用分析方法２００に従って機能する。機能２０２では、ＭＣＤ利用収集システム１０２は、ＭＣＤ１０４から利用データを取得する。利用データは、他のいくつかの方法で取得できる。例えば、利用データは、受信契約者がウェブサイトなどを通してコンピュータ上で入力したりすることで、直接的にＭＣＤ１０４の受信契約者又はユーザから取得でき、該データは、ＭＣＤ利用収集システム１０２によってアクセスされる。利用データは、例えば、ＭＣＤ利用に関する受信契約者の請求書を分析することによって取得される。少なくとも一実施形態では、ＭＣＤ利用収集システム１０２は、電子コンピュータ型のデータ処理システムである。機能２０４では、利用データは、ＭＣＤ利用収集システム１０２によって、モバイル通信プラン推奨システム１０６に提供される。しかし、ＭＣＤ利用収集システム１０２とモバイル通信プラン推奨システム１０６とは別体で示されているが、それらは、一つのデータ処理システムとして統合されることができる。
【００２１】
機能２０６では、モバイル通信プラン推奨システム１０６は、利用データを分析する。少なくとも一実施形態では、機能２０６は、受信契約者の長期（３０−９０日）と短期（２−７日）との利用を分析する。少なくとも一実施形態では、機能２０６は、２日のように特定の期間に一度のように事前に予定決めされたベースで実行される。少なくとも一実施形態では、機能２０６は、モバイル通信プラン提供の要求に基づいて実行される。機能２０８は、例えば、受信契約者がモバイル通信プラン提供を採用することで得ることができる最大の経済的利益の期間における機能２０６の分析に基づいて、受信契約者のために最も関連するモバイル通信プランを特定する。機能２１０は、一又は複数のモバイル通信プラン提供と、付随する説明的なメッセージであって、ＭＣＤ１０４と関連する受信契約者用に調整されたメッセージとを生成する。少なくとも一実施形態では、機能２１０は、高い採用率を伴うように特定の期間の間、モバイル通信プラン提供を受信契約者に通信する。ＭＣＤユーザのための一又は複数の最適なモバイル通信プランを特定するために、利用データの特定の分析は、設計上の選択の問題であり、通常、提供を作成する又は生成される提供のためのモバイル通信プランプロバイダの専用アルゴリズム１１０を用いて実行される。少なくとも一実施形態では、利用可能なモバイル通信プラン提供は、例えば、４８時間毎のような定期ベースで、動的プラン更新１１２によって更新される。少なくとも一実施形態では、モバイル通信プラン推奨システム１０６は、自動的に最近の利用を分析し、ＭＣＤユーザのために最適な提供を把握するために、例えば４８時間毎などで動的に機能する。後述するように、少なくとも一実施形態では、誘引イベントは、機能２０６の実行を誘引するように用いられる。
【００２２】
少なくとも一実施形態では、受信契約者のための一又は複数のモバイル通信プラン提供を決定するために、モバイル通信プラン推奨システム１０６によって用いられる利用データのみが、受信契約者の利用データである。従って、受信契約者に通信される各モバイル通信プラン提供は、受信契約者に調整され、受信契約者に最適を提供する。
【００２３】
少なくとも一実施形態では、モバイル通信プラン推奨システム１０６は、ショートコードインターフェイス１０８を介して、提供の正確な性質の利益をＭＣＤ１０４に通信する。
【００２４】
図３は、シリアル番号１−６の６人の受信契約者の利用データから作成された一の表であって、利用タイプ、タイムフレーム、誘引イベントの表である。少なくとも一実施形態では、モバイル通信プラン推奨システム１０６の機能２０６は、ＭＣＤユーザのための利用データと誘引イベントとを比較する。誘引イベントは、ＳＭＳメッセージの数、夜間の利用、地方の利用、ネットワーク上のＯｎＮｅｔの利用、標準長距離通話（ＳＴＤ）の利用、国内のＳＭＳ利用などの利用タイプや関連する利用量（額）を含む。特定の誘引イベントは、設計上の選択の問題であり、実質的に限定されない。また、特定の誘引基準は、設計上の選択の問題であり、実質的に限定されない。例示の誘引基準は、異なるプランなどの採用から、例えば５％以上の、時間、メッセージの数、節約量（額）である。少なくとも一実施形態では、誘引でさえも、機能２０６を誘引するために用いられない。
【００２５】
図４は、シリアル番号１−４の４人の受信契約者に対しての、一のモバイル通信プラン提供を示す。少なくとも一実施形態では、一又は複数のモバイル通信プラン提供は、各ＭＣＤの携帯番号を用いて、特徴付けられ、ＭＣＤ１０４などの特定のＭＣＤにメッセージで通信される。メッセージは、ＭＣＤ１０４に通信され、メッセージは、推奨される提供を通信し、少なくとも一実施形態では、提供の採用によってＭＣＤユーザが受ける正の経済的利益（節約）を通信する。少なくとも一実施形態では、各提供は、現在のプランを変更するであるサービスパックである。例えば、ＭＣＤユーザは、多くのサービスのための基本料金を要する基本プランを有する。パック提供は、例えば、好ましいＳＴＤレート、夜間レート、地方レートを提供するなど、これらのサービスの一つの価格設定を変更する。
【００２６】
少なくとも一実施形態では、機能２０８と機能２１０とは、管理されたベースで実行される。管理されたベースは、モバイル通信プラン推奨システム１０６で、プログラム化した規定によって決定される。規定は、先見的で反応的なイベントに基づく。先見的なイベントは、例えば、２週間又は１ヶ月などの事前に決定された時間量の経過である。反応的イベントは、例えば、前記したような誘引への応答である。従って、少なくとも一実施形態では、ＭＣＤユーザを悩ませたり頭をいっぱいにさせたりすることがないように、機能２１０は、先見的イベントでは、１月毎に２メッセージ、反応的イベントでは、１週間毎に２メッセージなど限定された回数で実行される。少なくとも一実施形態では、機能２１０は、モバイル通信プラン提供のためのＭＣＤユーザによる要求の受信に基づき、実行される。
【００２７】
図５は、一の受信契約者の誘引と通信イベント５００を示す。ＭＣＤ５０２の第一受信契約者は、頻度の多いＳＭＳの受信契約者である。前週の２００のＳＭＳメッセージの誘引イベントを受けて、モバイル通信プラン推奨システム１０６は、第一受信契約者にアクセス可能なコンピュータ装置５０４上のディスプレイに、機能２１０に従って、提供と説明的なメッセージとを送信する。ＭＣＤ５０４の第二受信契約者は、頻度の多いＳＴＤコールの受信契約者である。前週の７５のＳＴＤコールの誘引イベントを受けて、モバイル通信プラン推奨システム１０６は、ＭＣＤ５０６上のディスプレイに、機能２１０に従って、提供と説明的なメッセージとを送信する。ＭＣＤ５０７の第三受信契約者は、頻度の多いＳＴＤコールの受信契約者である。前週の低いアカウントバランスの誘引イベントを受けて、ＭＣＤ５０７の受信契約者は、ＭＣＤ５０７のバランス（残高）を追加する（補う）プリペイドの小売商５０８と個人的に会う。モバイル通信プラン推奨システム１０６は、ＭＣＤ５０７の受信契約者に情報提供するプリペイドの小売商５０８に、モバイル通信プラン提供を通信する。
【００２８】
図６は、モバイル通信プランシステム６０２を含む一のモバイル通信プラン提供システム６００を示す。少なくとも一実施形態では、ＭＣＤ利用収集システム１０２とモバイル通信プラン推奨システム１０６とは、モバイル通信プランシステム６０２によって実行される。モバイル通信プランシステム６０２は、モバイル通信プラン提供生成システム６０３を含む。モバイル通信プラン提供生成システム６０３は、データ処理システムであって、少なくとも一実施形態では、モバイル通信プラン提供利用分析方法２００を実行する。モバイル通信プラン提供生成システム６０３は、ソフトウェアアプリケーション６０６を実行するコンピュータシステムサーバ６０４を含む。少なくとも一実施形態では、ソフトウェアアプリケーション６０６は、サーバ６０５によって実行されるとき、モバイル通信プラン提供利用分析方法２００を実行する。モバイル通信プラン提供生成システム６０３は、モバイル通信プランプロバイダ・データ処理システム６０８の各々の望ましい通信インターフェイスを介して、モバイル通信プランプロバイダ・データ処理システム６０８に、モバイル通信プラン推奨（提供）を提供する。通信インターフェイスは、相互音声反応システム（ＩＶＲＳ）、ショートコード、ＯＢＤを含む。
【００２９】
モバイル通信プランシステム６０２は、機能２１０（図２）に従って、ＭＣＤ６１０に、モバイル通信プラン提供（推奨）を通信する。少なくとも一実施形態では、ＭＣＤ６１０の受信契約者（ユーザ）は、モバイル通信プランプロバイダ・データ処理システム６０８を介して、モバイル通信プランシステム６０２に採用応答を送信することで前記提供を採用する。
【００３０】
少なくとも一実施形態では、モバイル通信プラン提供生成システム６０３は、一又は複数の提供を決定し、ＭｙＳＱＬデータベースなどのデータベース６１２のデータにアクセスすることによってＭＣＤ６１０に前記提供を通信する。データは、受信契約者ファイルを含み、該受信契約者ファイルは、受信契約者と、受信契約者のモバイル通信プランと、受信契約者の残高のリチャージに関する情報を含むリチャージファイルと、受信契約者の通話詳細記録（ＣＤＲ）とに関する情報を含む。少なくとも一実施形態では、データベース６１２のデータは、受信契約者データと、リチャージデータと、データベース環境６１８によるＣＤＲデータとを順に取得するオープンドメインサーバ（ＯＤＳ）６１６を通して、データインポータ６１４を用いて取得される。
【００３１】
少なくとも一実施形態では、モバイル通信プラン提供生成システム６０３は、コンピュータシステム６２０などのインターネット接続システムからのモバイル通信プラン提供のための要求に応答する。要求に応じて、モバイル通信プラン提供生成システム６０３は、モバイル通信プラン提供利用分析方法２００を実行する。モバイル通信プラン提供生成システム６０３は、コンピュータシステム６２０を通して一又は複数の提供を受信契約者に通信することによって、先見的に又は反応的に、ＭＣＤ６１０と関連する受信契約者のための一又は複数のモバイル通信プラン提供を提供する。モバイル通信プラン提供生成システム６０３は、コンピュータシステム６２０を通して一又は複数の提供を受信契約者に通信することによって、ＭＣＤ６１０からの一又は複数のモバイル通信プラン提供のための要求に応答する。
【００３２】
少なくとも一実施形態では、モバイル通信プランシステム６０２は、モバイル通信プランプロバイダによって機能される。少なくとも一実施形態では、モバイル通信プラン提供生成システム６０３は、ＭＣＤ６１０に提供を通過させるか又は提供を拒むモバイル通信プランプロバイダ・データ処理システム６０８に、モバイル通信プラン提供を供給するモバイル通信プラン提供エンティティによって機能される。
【００３３】
前記のように、少なくとも一実施形態では、モバイル通信プラン提供生成システム６０３は、モバイル通信プランプロバイダというよりも別のエンティティによって機能される。このような形態では、モバイル通信プラン提供生成システム６０３では、モバイル通信サービスプロバイダのプリペイドユーザデータベースに統合され、モバイル通信サービスプロバイダのプリペイドユーザベースを分析する機能を構築して有しており、ユーザのためにカスタマイズされた提供を生成し、定期的に同じ提供を通信し、モバイル通信サービスプロバイダのプリペイドプランを保証し、パックについては、全国的に最新情報が届けられる。
【００３４】
少なくとも一実施形態では、モバイル通信プランプロバイダ・データ処理システム６０８の役割は、プリペイド利用データベースにアクセスするためのモバイル通信プラン提供及びシステムを含み、モバイル通信プラン提供及びシステムをプラン／パック／変更／導入などで更新することを含む。
【００３５】
以下は、モバイル通信プラン提供利用分析方法２００の一実施形態で例示に関するものである。
【００３６】
少なくとも一実施形態では、機能２０２は、ＯＤＳサーバ２１８を有するインターフェイスを通して、モバイル通信装置利用データを取得する。データは、エクセルファイル中にある。エクセルファイルは、４つのタイプのデータを含む。
1.受信契約者の詳細
2013519164.tif 000003
2.アカウント詳細
2013519164.tif 000004
3.通話詳細
2013519164.tif 000005
4.モバイル通信プラン提供
2013519164.tif 000006
【００３７】
モバイル通信プラン提供生成システム６０３は、例えば、データベース６２０から取得される通話記録に基づくデータを処理することによって、受信契約者利用データを分析する。少なくとも一実施形態では、機能２０６は、次の工程をとる。
【００３８】
１．１  通話詳細は、アカウント的な形態で利用不可能なら、（１）で取得される原データがアカウント的に集計される。即ち、一定数の全通話のエントリーが結合される。
【００３９】
１．２  分析の期間は、変更可能である（例えば１ヶ月、９０日など）。
【００４０】
１．３  １．１で取得された各アカウントのために、利用詳細に類似する生成集計利用統計は、モバイル通信プラン提供とシステムウェブページの態様に入力される。詳細は、以下のテーブルに与えられる。
2013519164.tif 000007
表１  集計された利用統計
【００４１】
少なくとも一実施形態では、モバイル通信プランは、以下のように生成される。
【００４２】
１．１  フェーズ１  第一フェーズでは、モバイル通信プラン提供及びシステムプランマネージャーの態様は、プリペイドプランとパックを支持するように拡張される。他の要求される特徴は、以下の通りである。
【００４３】
１．１．１  プリペイド又はポストペイドとしてプラン／パックを記録する能力。プランエントリーのために、２つのタブとして、「マネージ・ポストペイドプラン」と「マネージ・プリペイドプラン」とがある。推奨が計算されるとき、ポストペイドプランとパックとは、プリペイドプランとパックとに結合されることがないように保証されている。例えば、システムは、ポストペイドプランにプリペイドパックを加えて推奨することはない。
【００４４】
１．１．２  全プリペイドは、サービス税を含んでいる。サービス税％は、ポストペイドとプリペイドとで同一であり、設定で変えることができる。
【００４５】
１．１．３  ３つの追加フィールドは、プリペイドプランに追加される。
【００４６】
１．１．３．１  スターターパック：スターターパックのために、このフィールドは、チェックされる（即ち、ｔｒｕｅにマークされる）。受信契約者は、新規のプリペイドプランを要求するなら、スターターパックは、モバイル通信プラン提供に含まれる。この場合、モバイル通信プラン提供は、スターターパックとトークタイム／有効性とバリューパックとからなり得る。
【００４７】
１．１．３．２  トークタイム：望ましい現金での量。これは、ゼロにできる（スターターパック、ＳＴＤ／ＳＭＳパック）。
【００４８】
１．１．３．３  有効性：有効日。有効性は、モバイル通信プラン提供の期間を表す。
【００４９】
リチャージ範囲のサポート。いくつかのモバイル通信プランプロバイダは、リチャージオプションの範囲をサポートする。以下の表２に例示する。
2013519164.tif 000008
表２
【００５０】
少なくとも一実施形態では、モバイル通信プランプロバイダは、モバイル通信プラン提供システム６００に、プランとパックとの両方のタイプを入力する適応性を備えることができる。モバイル通信プランプロバイダは、範囲が各プラン／パックのために入力されるようにすることを可能にする。ＭＲＰ、サービス税、トークタイムのために、各パックの下限と上限とがありえる。
【００５１】
そのようなプランのために、プリペイド推奨エンジンは、携帯費用を最適化するように正確なリチャージ額を提案することができる。簡易なリチャージオプションを有する他のモバイル通信プランプロバイダのために、各プランの上限と下限とは、同一である。一例が以下の表３に与えられる。
2013519164.tif 000009
表３
【００５２】
図７は、ユーザがモバイル通信プラン提供を生成できる一のプラン提供生成のグラフィカルユーザインターフェイス７００である。プラン提供生成のグラフィカルユーザインターフェイス７００は、ユーザが価格設定データ７０２と、トークタイムデータ７０４と、サービス税データ７０６と、処理料金７０８と、有効性期間７１０とを入力できるようにする。ユーザは、ポストペイド又はプリペイドプランタイプ７１２と詳細タイプ７１４とを選択するために、ラジオボタンを選択できる。入力されたデータは、例えばモバイル通信プラン推奨システム１０６に保存される（図１）。
【００５３】
機能２０８の特定の実行は、設計上の選択の問題である。以下は、プリペイドモバイル通信プラン提供のための機能２０８と専用アルゴリズム１１０との一の実施である。
【００５４】
１．プリペイド推奨アルゴリズム
１．１  ステージ１：アカウント詳細の利用不能
１．１．１  受信契約者の現在のプランと同一のオペレータのパックとの全ての有効な結合のために、プランとパックとの組み合わせに対する毎月の支払い見積もりを得るための適切なレートでウィザードに入力される利用量を積算する。リチャージ・クーポンに対する実際の費用を得るためにサービス税（１０％のチェック）を追加する。
【００５５】
１．１．２  バリューパックのために有効性の１ヶ月の費用を追加する。
【００５６】
１．１．３  平均費用が増加する順に、推奨されたパック（プランではなくパック）を用意する。推奨ウィンドウに、トップ１０（所定の数）のパックを表示する。
【００５７】
１．１．４  前記４．１．２．１記載のように、「追加の倹約」と「倹約分析」との追加コラムを表示する。
【００５８】
１．１．５  ＳＭＳは、カスタマイズされることができる。ＳＭＳの例は、自己の利用に基づいて、パックＡＢＣを購入して、毎月に入れる金額を節約できる。入れられる金額は、設定変更できる。
【００５９】
１．２．  ステージ２：アカウント情報の利用可能
プリペイドの受信契約者の利用行動は、２つの大きな要素である、アカウントバランスと残りの有効性とによって影響される。もし、残りのアカウント有効性が所定の数以下なら、アカウントは、低い有効性であり、そうでなければ、アカウントは、高いバランス（残高）を有する。もし、残りのアカウントバランスが所定の数以下なら、アカウントは、低いバランスであり、そうでなければ、アカウントは、高い有効性を有する。以下の表は、上記２つの要素に基づく受信契約者の購入決定の優先度を与える。低いランクは、高い優先度を示す。表中における低いバランス／低い有効性の１，２，３、高いバランス／低い有効性の１，２、低いバランス／高い有効性の１，２、高いバランス／高い有効性の１に目標を定めたモバイル通信プラン提供が受信契約者に送信され得る。
2013519164.tif 000010
表４
【００６０】
表４からのモバイル通信プラン提供は、以下の機能２１０の一の態様で通信される。
【００６１】
シナリオ１：低いバランスと低い有効性
このシナリオでは、受信契約者は、バランスと同様に有効性を増加させることに関心がある。リチャージする間、受信契約者は、通話料金の削減を補助し又はサービスが追加されたバリューの提供をするパックを調べる。この場合、３つ全ての購入オプションに関するSMSが受信契約者に送信される。
【００６２】
シナリオ２：低いバランスと高い有効性
受信契約者は、追加的なトークタイムと、通話料金を抑制したり、VASを提供するのに役立つ他のパックとを取得することに特に関心がある。この場合、追加のトークタイムと他のパックとに関するSMSが受信契約者に送信される。
【００６３】
シナリオ３：高いバランスと低い有効性
受信契約者は、アカウント有効性を増加させることに関心がある。この場合、追加の有効性と他のパックとに関するSMSが受信契約者に送信される。
【００６４】
シナリオ４：高いバランスと高い有効性
この場合、他のパックのみに関するSMSが受信契約者に送信される。
【００６５】
少なくとも一実施形態では、有効性とアカウントバランスとに加えて、受信契約者の現在のパックの加入が追跡される。パックの期限が切れそうな場合、SMSは、パックが送信される受信契約者にリチャージを気付かせる。上記の場合、受信契約者の利用パターンに基づいて、SMSの送信は、カスタマイズされる。ユーザがプラン／パックを購入する場合、各々のSMSは、ユーザのための見積もり節減額を説明する。例えば、「お客様のご利用における分析に基づいて、お客様は、SMS５０パックに申し込むことで、年間１００ドル節減できます。お申し込みは、ダイヤル１３１までお願いします。」というSMSである。
【００６６】
モバイル通信プラン提供生成システム６０３とＯＤＳサーバ６１６との形態は、各々、図８の汎用のコンピュータ８００などのコンピュータシステムで実行される。キーボード及び／又はマウスなどの入力ユーザ装置８１０は、双方向システムバス８１８に接続される。入力ユーザ装置８１０は、ユーザ入力をコンピュータシステムに取り入れ、プロセッサ８１３へのユーザ入力を通信するためのものである。図８のコンピュータシステムは、一般的に、ビデオメモリ８１４、メインメモリ８１５、マスストレージ８０９を含み、これらは全て入力ユーザ装置８１０とプロセッサ８１３と一緒に双方向システムバス８１８に接続される。マスストレージ８０９は、他の利用可能なマスストレージ技術などの固定及び取り外し可能なメディアを含むことができる。バス８１８は、ビデオメモリ８１４又はメインメモリ８１５のアドレス指定をするために、例えば３２のアドレスラインを含む。システムバス８１８は、例えば、ｎ（エヌ）ビットデータバスを含む。ここで、ｎ（エヌ）は、３２や６４である。ｎ（エヌ）ビットデータバスは、ＣＰＵ８０９と、メインメモリ８１５と、ビデオメモリ８１４と、マスストレージ８０９となどの要素間でデータを送るためのものである。また、マルチプレックス（多重）データ／アドレスラインは、セパレート（単独）データ／アドレスラインの代わりに用いられることができる。
【００６７】
Ｉ／Ｏ装置８１９は、プリンタなどの周辺機器装置への接続を提供し、テレフォンリンクを介してリモートサーバコンピュータシステム、或いは、ＩＳＰを介してインターネットに直接的な接続を提供することができる。Ｉ／Ｏ装置８１９は、ＰＯＰ（プレゼンス点）を介したインターネットへの直接的なネットワークリンクを用いたリモートサーバコンピュータシステムへの直接的な接続を提供するためのネットワークインターフェイス装置を含むことができる。そのような接続は、例えば、デジタル携帯電話データ接続、セルラー・デジタル・パケットデータ（ＣＤＰＤ）接続、デジタル衛星データ接続又はそれらと同等のものなどを含むワイヤレス技術を用いて行われる。Ｉ／Ｏ装置の例としては、モデムと、サウンド・ビデオ装置と、前記のネットワークインターフェイスなどの特殊な通信装置とを含む。
【００６８】
コンピュータプログラムとデータは、一般的に、実行のためにメインメモリ８１５にロードされるまで、持続性タンジブルマスストレージ８０９に指示とデータとして保存される。コンピュータプログラムは、ネットワークを介して送られる際に、コンピュータプログラムとデータ通信技術とに基づいて変調された電子信号の形態であり得る。
【００６９】
プロセッサ８１３は、一実施形態では、イリノイ州のモトローラ社、又は、カリフォルニアのインテル社（基本サーバコア２ＣＰＵ（インテルジオンＸ５５５０）、１６ＧＢのランダムアクセスメモリ、１．２ＴＢのハードドライブ）、又は、カリフォルニア州のアドバンスト・マイクロ・デバイシーズ社によって製造されたマイクロプロセッサである。しかし、他の適切な一又は複数のマイクロプロセッサ又はマイクロコンピュータが利用される。メインメモリ８１５は、ダイナミックランダムアクセスメモリ（ＤＲＡＭ）から構成される。ビデオメモリ８１４は、デュアルポート・ビデオ・ランダム・アクセスメモリである。ビデオメモリ８１４の一のポートは、ビデオ増幅部８１６に接続される。ビデオ増幅部８１６は、ディスプレイ８１７を駆動するために用いられる。ビデオ増幅部８１６は、周知技術であり、適切な方法によって実行される。この回路は、ビデオメモリ８１４に保存されるピクセルデータをディスプレイ８１７の利用に適切なラスタ信号に変換する。ディスプレイ８１７は、グラフィックイメージを表示するのに適切な種類のモニタである。
【００７０】
上述のコンピュータシステムは、単に実施例の目的のためにすぎない。モバイル通信プラン提供利用分析方法２００は、コードとして実行され、持続性のコンピュータ読み取り可能な媒体に保存され、サーバ６０４によって実行されることができる。一のコンピュータ読み取り可能な媒体は、コンパクトディスク、デジタル多目的ディスク、フラッシュメモリ、ハードドライブ、その他の持続性のコンピュータ読み取り可能な媒体である。
【００７１】
モバイル通信プランプロバイダデータ処理システム６０８は、ＡＴ＆Ｔ、ベライゾン、スプリント、Ｔ−モバイル、エアーテル、ボーダフォンなどの周知なモバイル通信プランプロバイダデータ処理システムに基づいて、実行されることができる。
【００７２】
本発明を詳細に説明したが、当然のことながら、種々の変更、置換、代替が、この発明の趣旨及び範囲から逸脱しない限りで可能である。
【図１】
2013519164.tif 000011
【図２】
2013519164.tif 000012
【図３】
2013519164.tif 000013
【図４】
2013519164.tif 000014
【図５】
2013519164.tif 000015
【図６】
2013519164.tif 000016
【図７】
2013519164.tif 000017
【図８】
2013519164.tif 000018
【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
モバイル通信プラン提供を提供するための方法であって、
データ処理システムを用いて実行し、
受信契約者と関連するモバイル通信装置のモバイル通信装置利用データを分析し、
受信契約者と関連するモバイル通信装置の前記利用データに基づいて、モバイル通信装置の受信契約者に正の経済的利益を提供する一又は複数のモバイル通信プラン提供を特定し、
受信契約者の現在の通信プランのための利用限度を超える前に、特定した一又は複数のモバイル通信プラン提供を電子システムに通信することを含む方法。
【請求項２】
前記電子システムは、受信契約者と関連するモバイル通信装置である請求項１記載の方法。
【請求項３】
エンティティは、モバイル通信プランプロバイダのデータ処理システムである請求項１記載の方法。
【請求項４】
一又は複数の通信プラン提供を展開することを含む請求項１記載の方法。
【請求項５】
前記通信は、前記特定した一又は複数のモバイル通信プラン提供を前記エンティティに事前に通信することを含む請求項１記載の方法。
【請求項６】
前記通信は、誘引イベントに基づいて、前記特定した一又は複数のモバイル通信プラン提供を前記エンティティに反応的に通信することを含む請求項１記載の方法。
【請求項７】
前記誘引イベントは、利用のタイプと、関連利用量と、アカウントバランスレベルとから構成されるグループの要素である請求項６記載の方法。
【請求項８】
前記一又は複数のモバイル通信プラン提供の一つの採用を特定する受信契約者から応答を受け取ることを含む請求項１記載の方法。
【請求項９】
前記分析は、事前に予定されたベースで、モバイル通信装置利用データを分析することを含む請求項１記載の方法。
【請求項１０】
前記分析は、モバイル通信プラン提供のために、前記モバイル通信装置からの要求に基づいて、モバイル通信装置利用データを分析すること含む請求項１記載の方法。
【請求項１１】
データ処理システムを用いて実行し、
モバイル通信装置と関連する受信契約者への一又は複数のモバイル通信プラン提供のために、モバイル通信装置からの要求を送信し、
一又は複数のモバイル通信プラン提供を受信することを含み、
前記モバイル通信プラン提供は、受信契約者と関連するモバイル通信装置のモバイル通信装置利用データを分析し、
受信契約者と関連するモバイル通信装置の前記利用データに基づいて、モバイル通信装置の受信契約者に正の経済的利益を提供する一又は複数のモバイル通信プラン提供を特定することによって決定されることを特徴とする方法。
【請求項１２】
モバイル通信プラン提供を提供するためのシステムであって、
プロセッサと該プロセッサに接続されるメモリとを含み、前記メモリは、保存されたコードを含み、
前記メモリは、受信契約者と関連するモバイル通信装置のモバイル通信装置利用データを分析し、
受信契約者と関連するモバイル通信装置の前記利用データに基づいて、モバイル通信装置の受信契約者に正の経済的利益を提供する一又は複数のモバイル通信プラン提供を特定し、
受信契約者の現在の通信プランのための利用限度を超える前に、特定した一又は複数のモバイル通信プラン提供を電子システムに通信するために、プロセッサによって実行可能であることを特徴とするシステム。
【請求項１３】
前記電子システムは、受信契約者と関連するモバイル通信装置である請求項１２記載のシステム。
【請求項１４】
エンティティは、モバイル通信プランプロバイダのデータ処理システムである請求項１２記載のシステム。
【請求項１５】
前記コードは、一又は複数のモバイル通信プラン提供を展開するためにプロセッサによって実行可能である請求項１２記載のシステム。
【請求項１６】
通信のための前記コードは、前記特定した一又は複数のモバイル通信プラン提供を前記エンティティに事前に通信するために、プロセッサによって実行可能である請求項１２記載のシステム。
【請求項１７】
通信のための前記コードは、誘引イベントに基づいて、前記特定した一又は複数のモバイル通信プラン提供を前記エンティティに反応的に通信するために、プロセッサによって実行可能である請求項１２記載のシステム。
【請求項１８】
前記誘引イベントは、利用のタイプと、関連利用量と、アカウントバランスレベルとから構成されるグループの要素である請求項１７記載のシステム。
【請求項１９】
前記コードは、前記一又は複数のモバイル通信プラン提供の一つの採用を特定する受信契約者から応答を受け取るために、プロセッサによって実行可能である請求項１２記載のシステム。
【請求項２０】
分析のための前記コードは、事前に予定されたベースで、モバイル通信装置利用データを分析するために、プロセッサによって実行可能である請求項１２記載のシステム。
【請求項２１】
分析のための前記コードは、モバイル通信プラン提供のための、前記モバイル通信装置からの要求に基づいて、モバイル通信装置利用データを分析するために、プロセッサによって実行可能である請求項１２記載のシステム。
【請求項２２】
受信契約者と関連するモバイル通信装置のモバイル通信装置利用データを分析し、
受信契約者と関連するモバイル通信装置の前記利用データに基づいて、モバイル通信装置の受信契約者に正の経済的利益を提供する一又は複数のモバイル通信プラン提供を特定し、
受信契約者の現在の通信プランのための利用限度を超える前に、特定した一又は複数のモバイル通信プラン提供を電子システムに通信するために、
保存されたコードを含み、かつ、プロセッサによって実行可能である、持続性のコンピュータ読み取り可能な媒体。
【請求項２３】
電子コンピュータ読み取り可能な媒体は、受信契約者に関連するモバイル通信装置である請求項２２記載のコンピュータ読み取り可能な媒体。
【請求項２４】
エンティティは、モバイル通信プランプロバイダのデータ処理コンピュータ読み取り可能な媒体である請求項２２記載のコンピュータ読み取り可能な媒体。
【請求項２５】
前記コードは、一又は複数のモバイル通信プラン提供を展開するために、プロセッサによって実行可能である請求項２２記載のコンピュータ読み取り可能な媒体。
【請求項２６】
通信のための前記コードは、前記特定した一又は複数のモバイル通信プラン提供を前記エンティティに事前に通信するために、プロセッサによって実行可能である請求項２２記載のコンピュータ読み取り可能な媒体。
【請求項２７】
通信のための前記コードは、誘引イベントに基づいて、前記特定した一又は複数のモバイル通信プラン提供を前記エンティティに反応的に通信するために、プロセッサによって実行可能である請求項２２記載のコンピュータ読み取り可能な媒体。
【請求項２８】
前記誘引イベントは、利用のタイプと、関連利用量と、アカウントバランスレベルとから構成されるグループの要素である請求項２７記載のコンピュータ読み取り可能な媒体。
【請求項２９】
前記コードは、前記一又は複数のモバイル通信プラン提供の一つの採用を特定する受信契約者から応答を受け取るために、プロセッサによって実行可能である請求項２２記載のコンピュータ読み取り可能な媒体。
【請求項３０】
分析のための前記コードは、事前に予定されたベースで、モバイル通信装置利用データを分析するために、プロセッサによって実行可能である請求項２２記載のコンピュータ読み取り可能な媒体。
【請求項３１】
分析のための前記コードは、モバイル通信プラン提供のための、前記モバイル通信装置からの要求に基づいて、モバイル通信装置利用データを分析するために、プロセッサによって実行可能である請求項２２記載のコンピュータ読み取り可能な媒体。
【国際調査報告】
2013519164.tif 000019
2013519164.tif 000020
2013519164.tif 000021